(57)【要約】      （修正有）【課題】住宅の縦樋から下水道へ向けて雨水が過剰に流入することを防止する雨水制御装置を提供する。【解決手段】縦樋１０を包み込むように配設される連結ボックス１７は、下端に内向きフランジ１８を備えるとともに上端の少なくとも一部が開放され、内向きフランジ１８は、下側樋１４の外周面に対して液密に連結される。縦樋１０の内部が連結ボックス１７の内部に連通しており、縦樋１０とで画成される空間が過剰水の貯留タンク１９の大きさとなる。下側樋１４の内部に流量絞り２４が設けられ、連結ボックス１７の上端開放部が過剰水排出口２０となり、流量絞り２４で制限された雨水は貯留タンク１９に貯留される。強い雨を何回も繰り返す集中豪雨の際に、一回の豪雨が収まった後、次の豪雨が来るまでの間に１５分から６０分程度で前記貯留タンクが実質的に空になるように、貯留タンク１９に貯留された雨水が流量絞り２４を通って自然に流れ出る。【選択図】図２
2017008714.tif 000002
【特許請求の範囲】
【請求項１】
雨水管から下流側への雨水管内における雨水の流量を制限する流量絞りと、該流量絞りによって流量を制限された雨水を溜める貯留タンクと、を備え、該貯留タンクの容量を超える過剰な雨水を外部へ流出する過剰水排出口が前記貯留タンクの上部に設けられる構成であって、短時間にまとまって降る強い雨を何回も繰り返す集中豪雨の際に、一回の豪雨が収まった後、次の豪雨が来るまでの間に１５分から６０分程度で前記貯留タンクが実質的に空になるように、該貯留タンクに貯留された雨水が自然に流れ出る常時開放の全量排出口が前記貯留タンクに連通して形成されている雨水制御装置。
【請求項２】
請求項１に記載の雨水制御装置において、住宅の雨水管が上下に二分割され、上側管の下端と下側管の上端とを包み込むように上下方向に延びる筒状の連結ボックスが配設され、該連結ボックスは、下端に内向きフランジを備えるとともに上端の少なくとも一部が開放され、前記内向きフランジは、前記下側管の外周面に対して液密に連結され、前記上側管と前記下側管との間の隙間が前記連結ボックスの内部に連通しており、前記連結ボックスの内周面と前記上側管の外周面と内向きフランジとで画成される空間が過剰水の貯留タンクの大きさとなり、前記下側管の内部に流量絞りが設けられ、前記連結ボックスの上端開放部が過剰水排出口となり、該流量絞りの開口が前記全量排出口となる雨水制御装置。
【請求項３】
請求項２に記載の雨水制御装置において、前記雨水管を上下に二分割することに代えて、前記雨水管の一部を切欠いて開口部を形成し、該開口部の下流側の雨水管の内部に前記流量絞りが設けられる雨水制御装置。
【請求項４】
請求項３に記載の雨水制御装置において、前記開口部が前記連結ボックスの内部の上部に位置し、該連結ボックスの内部の下部に位置する戻し穴が前記雨水管の一部を切り欠いて設けられ、該戻し穴が前記全量排出口となる雨水制御装置。
【請求項５】
（図示なし、図２〜５が対象）
請求項２乃至４のいずれかに記載の雨水制御装置において、前記連結ボックスが、前記雨水管を包囲するように組み合わせ可能な分割部品の液密な結合により形成される雨水制御装置。
【請求項６】
請求項２乃至５のいずれかに記載の雨水制御装置において、前記連結ボックスが前記雨水管に対して偏心して設置される雨水制御装置。
【請求項７】
請求項１に記載の雨水制御装置において、住宅の雨水管の横に上下方向に延びる筒状の貯留タンクが配設され、該貯留タンクは上端と下端が密閉され、前記貯留タンクは過剰水移送管によって前記雨水管と連通され、該過剰水移送管と前記雨水管との接続部よりも前記雨水管の下流側に流量絞りが配設され、前記貯留タンクの上部の少なくとも一部を切り欠いて過剰水排出口が設けられ、前記貯留タンクの下部が戻し管によって前記流量絞りよりも下流側で前記雨水管に連通され、該戻し管の開口が前記全量排出口となる雨水制御装置。
【請求項８】
請求項７に記載の雨水制御装置において、前記貯留タンクの下部が戻し管によって前記流量絞りよりも下流側で前記雨水管に連通されることに代えて、前記貯留タンクの下部が戻し管によって前記流量絞りよりも上流側で前記雨水管に連通され、前記戻し管の開口又は前記流量絞りの開口が前記全量排出口となる雨水制御装置。
【請求項９】
請求項８に記載の雨水制御装置において、前記戻し管が前記過剰水移送管を兼ね、前記流量絞りの開口が前記全量排出口となる雨水制御装置。
【請求項１０】
請求項２乃至６のいずれかに記載の雨水制御装置において、前記連結ボックスの上端開放部が塞がれて密閉され、前記連結ボックスの周壁の上部の一部を切り欠いて前記過剰水排出口を設ける雨水制御装置。
【請求項１１】
請求項８に記載の雨水制御装置において、前記貯留タンクの上端の少なくとも一部が開放されて上端開放部が形成され、該上端開放部が前記過剰水排出口とされ、前記貯留タンクの前記上端開放部に向けて前記過剰水移送管の外端部が開口している雨水制御装置。
【請求項１２】
請求項２乃至１１のいずれかに記載の雨水制御装置において、前記流量絞りが流量調整可能なものである雨水制御装置。
【請求項１３】
請求項２乃至１１のいずれかに記載の雨水制御装置において、前記流量絞りとして、流量絞り面に雨水通過孔を偏心させて設けたものを少なくとも二つ備え、前記流量絞り面同士を重ね合わせた状態で前記流量絞りの重合角度位置が変更可能とされている雨水制御装置。
【請求項１４】
請求項２乃至１３のいずれかに記載の雨水制御装置において、前記流量絞りの雨水通過率が５％乃至４０％である雨水制御装置。
【請求項１５】
請求項２乃至１４のいずれかに記載の雨水制御装置において、満杯になった前記貯留タンクが１５分から６０分程度で実質的に空になるように、前記貯留タンクの容量と全量排出口の大きさとが設定されている雨水制御装置。
【請求項１６】
請求項１に記載の雨水制御装置おいて、地中の雨水管から下流側への雨水管内における雨水の流量を制限する流量絞りと、該流量絞りによって流量を制限された雨水を溜める貯留タンクと、を備え、該貯留タンクの容量を超える過剰な雨水を外部へ流出する過剰水排出口が前記貯留タンクの上部に設けられる構成であって、該貯留タンクが地中に埋設されて前記過剰水排出口は地上に開口されるか、又は前記全量排出口の下流側に連通される雨水制御装置。
【請求項１７】
請求項１６に記載の雨水制御装置において、地中の雨水管が二分割され、その上流側管と下流側管の間に前記貯留タンクが連結され、該貯留タンクの上端の少なくとも一部が開放されて前記過剰水排出口となり、前記下流側管の内部に流量絞りが設けられ、該流量絞りの開口が前記全量排出口となる雨水制御装置。
【請求項１８】
地下の雨水管から下流側への雨水管内における雨水の流量を制限する流量絞りと、該流量絞りによって流量を制限された雨水を溜める貯留タンクと、を備え、該貯留タンクの容量を超える過剰な雨水を外部へ流出する過剰水排出口が前記貯留タンクの上部に設けられる構成であって、短時間にまとまって降る強い雨を何回も繰り返す集中豪雨の際に、一回の豪雨が収まった後、次の豪雨が来るまでの間に１５分から６０分程度で前記貯留タンクが実質的に空になるように、該貯留タンクに貯留された雨水が自然に流れ出る常時開放の全量排出口が前記貯留タンクに連通して形成されている雨水制御装置。
【請求項１９】
請求項１８に記載の雨水制御装置において、道路の両脇に設けられた側溝の一部が前記貯留タンクとなり、該貯留タンクに連通して設けられた下流側の集水槽の上部に開口を設けて過剰水排出口とし、該貯留タンクの雨水を排出する地下の雨水管に前記流量絞りを備え、該流量絞りの開口が全量排出口となる、雨水制御装置。
【請求項２０】
請求項１８に記載の雨水制御装置において、前記側溝からの雨水を集めて流す地下の大きな雨水管の一部が前記貯留タンクとなり、該貯留タンクに連通して設けられた下流側の集水槽の上部に開口を設けて過剰水排出口とし、該貯留タンクの雨水を排出する地下の雨水管に前記流量絞りを備え、該流量絞りの開口が全量排出口となる、雨水制御装置。
【請求項２１】
請求項１９又は請求項２０のいずれかに記載の雨水制御装置において、前記過剰水排出口から排出される過剰水が、前記流量絞りの下流側で前記雨水管内に戻される、雨水制御装置。
【請求項２２】
雨水管から下流側への雨水管内における雨水の流量を制限する流量絞りと、該流量絞りによって流量を制限された雨水を溜める貯留タンクと、を備え、該貯留タンクの容量を超える過剰な雨水を外部へ流出する過剰水排出口が前記貯留タンクの上部に設けられる雨水制御装置を用いて、短時間にまとまって降る強い雨を何回も繰り返す集中豪雨の際に、一回の豪雨が収まった後、次の豪雨が来るまでの間に１５分から９０分程度で前記貯留タンクが実質的に空になるように、該貯留タンクに貯留された雨水が前記貯留タンクに連通して形成されている常時開放の全量排出口から自然に流れ出ることを特徴とする雨水制御方法。
【請求項２３】
請求項２２に記載の雨水制御方法において、高層住宅の雨水管の雨水制御を行う際に上層階の貯留タンクの全量排出の時間を３０分程度又は４５分程度とし、下層階の貯留タンクの全量排出の時間を４５分以上とすることを特徴とする雨水制御方法。
【請求項２４】
請求項２３に記載の雨水制御方法において、上層階の貯留タンクを従来の雨水貯水タンクとし、且つ常時開放の全量排出口を設け、雨水の取水口の取水効率を２０％以上に設定することを特徴とする雨水制御方法。
【請求項２５】
高層住宅の雨水管の雨水制御を行うために、上層階と下層階の貯留タンクを従来の雨水貯水タンクとし、且つ常時開放の全量排出口を設け、雨水の取水口の取水効率を２０％以上に設定する構成において、短時間にまとまって降る強い雨を何回も繰り返す集中豪雨の際に、一回の豪雨が収まった後、次の豪雨が来るまでの間に１５分から９０分程度で前記貯留タンクが実質的に空になるように、該貯留タンクに貯留された雨水が前記貯留タンクに連通して形成されている前記全量排出口から自然に流れ出ることを特徴とする雨水制御方法。
【請求項２６】
請求項２５に記載の雨水制御方法において、高層住宅の雨水管の雨水制御を行う際に上層階の貯留タンクの全量排出の時間を３０分程度又は４５分程度とし、下層階の貯留タンクの全量排出の時間を４５分以上とすることを特徴とする雨水制御方法。
【請求項２７】
請求項２３乃至２６のいずれかに記載の雨水制御方法において、下層階の貯留タンクの全量排出の時間を１週間以上、３週間以内とすることを特徴とする雨水制御方法。
【請求項２８】
住宅の雨水管の雨水制御を行うために、貯留タンクを従来の雨水貯水タンクとし、且つ常時開放の全量排出口を設け、雨水の取水口の取水効率を２０％以上に設定する構成であって、短時間にまとまって降る強い雨を何回も繰り返す集中豪雨の際に、一回の豪雨が収まった後、次の豪雨が来るまでの間に１５分から６０分程度で前記貯留タンクが実質的に空になるように、該貯留タンクに貯留された雨水が自然に流れ出る前記全量排出口が前記貯留タンクに連通して形成されている雨水制御装置。
【請求項２９】
請求項１乃至２１及び請求項２８のいずれかに記載の雨水制御装置において、満杯になった前記貯留タンクが３０分程度又は４５分程度で実質的に空になるように、前記貯留タンクの容量と全量排出口の大きさとが設定されている雨水制御装置。
【請求項３０】
請求項１乃至２１及び請求項２８のいずれかに記載の雨水制御装置において、降雨強度が８０ｍｍ／ｈ以上の集中豪雨に対応できるように、貯留タンクの容量を３００リットル以上とし、満杯になった前記貯留タンクが４５分程度で実質的に空になるように、前記貯留タンクの容量と全量排出口の大きさとが設定されている雨水制御装置。
【請求項３１】
請求項２２又は請求項２５に記載の雨水制御方法において、満杯になった前記貯留タンクが３０分程度又は４５分程度で実質的に空になるように、前記貯留タンクの容量と全量排出口の大きさとが設定されていることを特徴とする雨水制御方法。
【請求項３２】
請求項２２に記載の雨水制御方法において、降雨強度が８０ｍｍ／ｈ以上の集中豪雨に対応する場合は、側溝の貯留タンクの容量を１６００リットル以上とし、満杯になった前記貯留タンクが３０分から９０分程度で実質的に空になるように、前記貯留タンクの容量と全量排出口の大きさとが設定されていることを特徴とする雨水制御方法。
【請求項３３】
請求項１９に記載の雨水制御装置において、道路の地中に多数の貯水用中空ブロックを並べて埋設し、この中空ブロックを連通管で相互に接続して大型の貯留タンクとし、前記集水槽と任意の中空ブロックを接続して地面に降雨した雨水を集め該大型の貯留タンクに一時保水し、かつ任意の中空ブロックから雨水を排出する地下の雨水管に新たな流量絞りを備え、前記大型の貯留タンクをゆっくりと長い時間をかけて自然排水する全量排出口を有する、雨水制御装置。
【請求項３４】
請求項３３に記載の雨水制御装置において、前記多数の中空ブロックの代わりに多数の雨水管を埋設して大型の貯留タンクとする、雨水制御装置。
【請求項３５】
地中に多数の貯水用中空ブロックを並べて埋設し、この中空ブロックを連通管で相互に接続して大型の貯留タンクとし、地面に設けた集水槽と任意の中空ブロックを接続して地面に降雨した雨水を集め該大型の貯留タンクに一時保水し、かつ任意の中空ブロックから雨水を排出する地下の雨水管に流量絞りを備え、前記大型の貯留タンクをゆっくりと長い時間をかけて自然排水する全量排出口を有する、雨水制御装置。
【請求項３６】
請求項３５に記載の雨水制御装置において、前記多数の中空ブロックの代わりに多数の雨水管を埋設して大型の貯留タンクとする、雨水制御装置。
【請求項３７】
請求項３５又は請求項３６に記載の雨水制御装置において、前記大型の貯留タンクを自然排水する全量排出の時間を１週間以上、３週間以内とする、雨水制御装置。
【発明の詳細な説明】
【技術分野】
【０００１】
本発明は、住宅の雨水管から下水道等へ向けて流れる雨水の流量を制御する雨水制御装置及び雨水制御方法に関するものである。
【背景技術】
【０００２】
住宅の屎尿や生活排水等の汚水を一旦貯留して下水道へと排出する汚水桝（特許文献１参照）には、図１２に示すように、住宅３０の雨樋（雨水管）３１から雨水が導入される場合がある。すなわち、住宅の軒樋３２が縦樋３３を介して、地中に埋設される汚水桝３４に連通されるタイプであり、汚水桝３４が雨水桝（特許文献２参照）を兼ねるものである。この場合、住宅３０で発生した汚水と雨樋３１に流入した雨水は、共に汚水桝３４に流入し、この汚水桝３４から下水道へと排出される。
【０００３】
このタイプの汚水桝３４において、雨樋３１から汚水桝３４に流入する雨水の量が汚水桝３４から下水道への排水量を超えるほど降雨量が多い場合には、住宅の汚水源３５（トイレ、風呂、台所等）へと汚水桝３４から、雨水を含む汚水が逆流してしまい、住宅内が水浸しになってしまう危険がある。
【０００４】
図１２には、大雨の影響で縦樋３３及び軒樋３２の中が満水状態となり、軒樋３２から雨水Ｒが溢れ出ている状態が示されている。雨樋３１から流れ込む雨水で汚水桝３４が満杯になってしまうと、汚水桝３４内の汚水が汚水源３５としてのトイレから住宅内へと流れ込む。雨樋３１を構成する軒樋３２は汚水桝３４よりもはるかに高い位置にあるので、軒樋３２に流れ込む雨水によって汚水桝３４内が加圧され、汚水源３５への汚水の逆流が促進される。地球温暖化の影響からか、局地的な豪雨に見舞われることが多い昨今、この問題は甚だ深刻である。
【０００５】
また、雨樋の雨水が雨水専用の雨水桝に導入される分流式下水道の場合にも、大雨で雨水桝が満杯になり下水道設備に排出できない時には、軒樋から雨水が溢れて軒下に流れ出す事態が発生する。 尚、下水道と言った場合は、下水管を意味し汚水管と大きな雨水管４６Ａとを含む（図２１参照）。
【０００６】
さらにまた、高層の集合住宅では、大雨の際に雨水桝が満杯になり、又は縦樋が細いと上層階の雨水だけで縦樋が満杯になり、低層階の住宅のベランダに雨水が滞留してしまうという問題も生ずる。
【０００７】
そこで、特許文献３，４に示すように、下水道等へ向けて縦樋内を通過する雨水の流量を規制し、規制された雨水を貯水タンクに溜めることで、前記のような問題を解決しようとするものが提案されている。
【先行技術文献】
【特許文献】
【０００８】
【特許文献１】特開平９−２７３１６６号公報
【特許文献２】特開平７−２９２７５８号公報
【特許文献３】実開平７−２５０５５号公報
【特許文献４】特開２００８−１２１２７４号公報
【発明の概要】
【発明が解決しようとする課題】
【０００９】
しかし、特許文献３，４の提案では、貯水タンクが満杯になってしまうと、縦樋内を下水道等へ向けて雨水が流れなくなってしまい、前記と同様の問題が発生してしまう。いずれの文献にも、貯水タンクには開閉自在な排水口（特許文献３では第一排水口３、特許文献４では雨水取出し蛇口）が設けられているが、これらの排水口は人為的に開閉操作されるもので、貯水タンクからの排水を自動的に制御するものではない。
【００１０】
また、特許文献３では、一応、第二排水口４より少量の排水が常時行われており、降雨がやんだ後も自然に排水できると開示されているが、特許文献３で例示されている容量３０００リットルの貯水タンクから自然に排水する時間は相当に長いと思われる。このため、断続的な豪雨に見舞われた場合、貯水タンクが一旦満杯になってしまうと、それ以後の豪雨には自然排水では対応できない心配がある。しかも自然に排水するのは、住宅敷地の庭先であり、本当に「降雨がやむまで」の一回限りの貯留が目的となっている。高層住宅のベランダには適用できない。
【００１１】
さらに、特許文献３の提案では、容量３０００リットル等の折り畳み可能な袋体が使用され、特許文献４の提案では、ゴミ排出パイプ８が露出しているが、家屋の縦樋の傍にこれらのものが存在するのは、スペース的にも美観的にも問題がある。
【００１２】
本発明は、前記のような事情に鑑みてなされたものであり、短時間にまとまって降る強い雨を何回も繰り返す集中豪雨があっても、下水道等が機能不全に陥ることを防止しようとするものである。特に、住宅の雨水管から下水道等への雨水の流入量を制限し、流入が制限された雨水の貯留機能を有し、降雨量が制限値を下回ったら貯留された雨水が自然排水され、省スペース的で美感も良い、雨水制御装置及び雨水制御方法を提供しようとするものである。
【課題を解決するための手段】
【００１３】
前記課題を解決するため、本発明に係る雨水制御装置は、雨水管から下流側への雨水管内における雨水の流量を制限する流量絞りと、該流量絞りによって流量を制限された雨水を溜める貯留タンクと、を備え、該貯留タンクの容量を超える過剰な雨水を外部へ流出する過剰水排出口が前記貯留タンクの上部に設けられる構成であって、短時間にまとまって降る強い雨を何回も繰り返す集中豪雨の際に、一回の豪雨が収まった後、次の豪雨が来るまでの間に１５分から６０分程度で前記貯留タンクが実質的に空になるように、該貯留タンクに貯留された雨水が自然に流れ出る常時開放の全量排出口が前記貯留タンクに連通して形成されている態様を例示する（請求項１）。
【００１４】
好適な実施の一形態として、住宅の雨水管が上下に二分割され、上側管の下端と下側管の上端とを包み込むように上下方向に延びる筒状の連結ボックスが配設され、該連結ボックスは、下端に内向きフランジを備えるとともに上端の少なくとも一部が開放され、前記内向きフランジは、前記下側管の外周面に対して液密に連結され、前記上側管と前記下側管との間の隙間が前記連結ボックスの内部に連通しており、前記連結ボックスの内周面と前記上側管の外周面と内向きフランジとで画成される空間が過剰水の貯留タンクの大きさとなり、前記下側管の内部に流量絞りが設けられ、前記連結ボックスの上端開放部が過剰水排出口となり、該流量絞りの開口が前記全量排出口となる態様を例示する（請求項２）。
【００１５】
本発明によれば、流量絞りで流量を制限された雨水は、上側管と下側管との間の隙間から連結ボックス内部の貯留タンクに貯留される。一回の豪雨が収まり降雨量が流量絞りによる規制値を下回ると、貯留タンク内の雨水が前記隙間と前記流量絞りとを通って下流側へと自然に流れ出る。貯留タンクが満杯になるほどの大雨が降った場合、貯留タンク内の雨水は過剰水排出口から自然に溢れ出る。
【００１６】
本発明によれば、下水道等への雨水の流入量が制限され、流入が制限された雨水は貯留タンクに溜められるので、これにより、集中豪雨があっても、下水道等が機能不全に陥ることが防止できる。特に、多くの市民や自治体の協力を得て大規模に採用することで、より大きな効果が得られる。
【００１７】
また、雨水管の雨水が住宅の汚水桝を通って下水道へと流入する場合でも、汚水桝から住宅内へ汚水が逆流してしまう等の問題が生じない。万一貯留タンクが満杯になっても、過剰な雨水は過剰水排出口から自然に排出されるので、雨水管に連通する軒樋から雨水が溢れ出すこともない。
【００１８】
さらに、貯留タンクに溜まった雨水は、一回の豪雨が収まり降雨量が流量絞りによる規制値を下回ると、前記隙間と前記流量絞りを通って自然に流れ出るので、次の豪雨にも対応できる。
【００１９】
さらにまた、上下方向に延びる筒状の連結ボックスを、雨水管を包み込むように雨水管に対して配設する構成であるので、省スペース的で美感も良い。
【００２０】
なお、本発明に係る雨水制御装置は、戸建て住宅の雨水管に対して適用できるほか、高層住宅の各戸のベランダの雨水管に対しても適用できることは勿論である。
【００２１】
好適な実施の一形態として、前記雨水管を上下に二分割することに代えて、前記雨水管の一部を切欠いて開口部を形成し、該開口部の下流側の雨水管の内部に前記流量絞りが設けられる態様を例示する（請求項３）。この場合、前記開口部が前記隙間（上側管と下側管との間の隙間）と同じ作用を奏する。
【００２２】
好適な実施の一形態として、前記開口部が前記連結ボックスの内部の上部に位置し、該連結ボックスの内部の下部に位置する戻し穴が前記雨水管の一部を切り欠いて設けられ、該戻し穴が前記全量排出口となる態様を例示する（請求項４）。
【００２３】
好適な実施の一形態として、前記連結ボックスが、前記雨水管を包囲するように組み合わせ可能な分割部品の液密な結合により形成される態様を例示する（請求項５）。このようにすれば、既設の雨水管に対して連結ボックスを後付けする場合の後付け作業が簡単且つ迅速に行える利点がある。
【００２４】
好適な実施の一形態として、前記連結ボックスが前記雨水管に対して偏心して設置される態様を例示する（請求項６）。この場合、雨水管の中心軸線に対して連結ボックスの中心軸線が住宅の壁面から遠い位置となるように偏心させて、雨水管に対して連結ボックスを設置する。これにより、雨水管と住宅の壁面との間の隙間が小さい場合でも、連結ボックスを雨水管に対して確実に取り付けることができる。
【００２５】
好適な実施の一形態として、住宅の雨水管の横に上下方向に延びる筒状の貯留タンクが配設され、該貯留タンクは上端と下端が密閉され、前記貯留タンクは過剰水移送管によって前記雨水管と連通され、該過剰水移送管と前記雨水管との接続部よりも前記雨水管の下流側に流量絞りが配設され、前記貯留タンクの上部の少なくとも一部を切り欠いて過剰水排出口が設けられ、前記貯留タンクの下部が戻し管によって前記流量絞りよりも下流側で前記雨水管に連通され、該戻し管の開口が前記全量排出口となる態様を例示する（請求項７）。
【００２６】
好適な実施の一形態として、前記貯留タンクの下部が戻し管によって前記流量絞りよりも下流側で前記雨水管に連通されることに代えて、前記貯留タンクの下部が戻し管によって前記流量絞りよりも上流側で前記雨水管に連通され、前記戻し管の開口又は前記流量絞りの開口が前記全量排出口となる態様を例示する（請求項８）。
【００２７】
好適な実施の一形態として、前記戻し管が前記過剰水移送管を兼ね、前記流量絞りの開口が前記全量排出口となる態様を例示する（請求項９）。
【００２８】
好適な実施の一形態として、前記連結ボックスの上端開放部が塞がれて密閉され、前記連結ボックスの周壁の上部の一部を切り欠いて前記過剰水排出口を設ける態様を例示する（請求項１０）。すなわち、前記過剰水排出口は、上向きである必要はなく、連結ボックスに対して横向きに配設することもできるということである。
【００２９】
好適な実施の一形態として、前記貯留タンクの上端の少なくとも一部が開放されて上端開放部が形成され、該上端開放部が前記過剰水排出口とされ、前記貯留タンクの前記上端開放部に向けて前記過剰水移送管の外端部が開口している態様を例示する。前記上端開放部に網状等の通水可能なゴミ除けを設けてもよい（請求項１１）。
【００３０】
好適な実施の一形態として、前記流量絞りが流量調整可能なものである態様を例示する（請求項１２）。
【００３１】
好適な実施の一形態として、前記流量絞りとして、流量絞り面に雨水通過孔を偏心させて設けたものを少なくとも二つ備え、前記流量絞り面同士を重ね合わせた状態で前記流量絞りの重合角度位置が変更可能とされる態様を例示する（請求項１３）。
【００３２】
好適な実施の一形態として、前記流量絞りの雨水通過率が５％乃至４０％である態様を例示する（請求項１４）。
【００３３】
好適な実施の一形態として、満杯になった前記貯留タンクが１５分から６０分程度で実質的に空になるように、前記貯留タンクの容量と全量排出口の大きさとが設定されている態様を例示する（請求項１５）。
【００３４】
好適な実施の一形態として、地中の雨水管から下流側への雨水管内における雨水の流量を制限する流量絞りと、該流量絞りによって流量を制限された雨水を溜める貯留タンクと、を備え、該貯留タンクの容量を超える過剰な雨水を外部へ流出する過剰水排出口が前記貯留タンクの上部に設けられる構成であって、該貯留タンクが地中に埋設されて前記過剰水排出口は地上に開口されるか、又は前記全量排出口の下流側に連通される態様を例示する（請求項１６）。
これは図９の貯留タンクを地中に埋設した場合の実施態様である（図１３）。
【００３５】
好適な実施の一形態として、地中の雨水管が二分割され、その上流側管と下流側管の間に前記貯留タンクが連結され、該貯留タンクの上端の少なくとも一部が開放されて前記過剰水排出口となり、前記下流側管の内部に流量絞りが設けられ、該流量絞りの開口が前記全量排出口となる態様を例示する（請求項１７）。
これは、貯留タンクが地中に埋設されて雨水枡を兼ねる場合の実施態様である（図１４）。
【００３６】
好適な実施の一形態として、地下の雨水管から下流側への雨水管内における雨水の流量を制限する流量絞りと、該流量絞りによって流量を制限された雨水を溜める貯留タンクと、を備え、該貯留タンクの容量を超える過剰な雨水を外部へ流出する過剰水排出口が前記貯留タンクの上部に設けられる構成であって、短時間にまとまって降る強い雨を何回も繰り返す集中豪雨の際に、一回の豪雨が収まった後、次の豪雨が来るまでの間に１５分から６０分程度で前記貯留タンクが実質的に空になるように、該貯留タンクに貯留された雨水が自然に流れ出る常時開放の全量排出口が前記貯留タンクに連通して形成されている態様を例示する（請求項１８）。
【００３７】
好適な実施の一形態として、道路の両脇に設けられた側溝の一部が前記貯留タンクとなり、該貯留タンクに連通して設けられた下流側の集水槽の上部に開口を設けて過剰水排出口とし、該貯留タンクの雨水を排出する地下の雨水管に前記流量絞りを備え、該流量絞りの開口が全量排出口となる態様を例示する（請求項１９）。
【００３８】
好適な実施の一形態として、前記側溝からの雨水を集めて流す地下の大きな雨水管の一部が前記貯留タンクとなり、該貯留タンクに連通して設けられた下流側の集水槽の上部に開口を設けて過剰水排出口とし、該貯留タンクの雨水を排出する地下の雨水管に前記流量絞りを備え、該流量絞りの開口が全量排出口となる態様を例示する（請求項２０）。
【００３９】
好適な実施の一形態として、前記過剰水排出口から排出される過剰水が、前記流量絞りの下流側で前記雨水管内に戻される態様を例示する（請求項２１）。
【００４０】
好適な実施の一形態として、雨水管から下流側への雨水管内における雨水の流量を制限する流量絞りと、該流量絞りによって流量を制限された雨水を溜める貯留タンクと、を備え、該貯留タンクの容量を超える過剰な雨水を外部へ流出する過剰水排出口が前記貯留タンクの上部に設けられる雨水制御装置を用いて、短時間にまとまって降る強い雨を何回も繰り返す集中豪雨の際に、一回の豪雨が収まった後、次の豪雨が来るまでの間に１５分から９０分程度で前記貯留タンクが実質的に空になるように、該貯留タンクに貯留された雨水が前記貯留タンクに連通して形成されている常時開放の全量排出口から自然に流れ出ることを特徴とする（請求項２２）。
【００４１】
好適な実施の一形態として、高層住宅の雨水管の雨水制御を行う際に上層階の貯留タンクの全量排出の時間を３０分程度又は４５分程度とし、下層階の貯留タンクの全量排出の時間を４５分以上とすることを特徴とする（請求項２３）。
【００４２】
好適な実施の一形態として、上層階の貯留タンクを従来の雨水貯水タンクとし、且つ常時開放の全量排出口を設け、雨水の取水口の取水効率を２０％以上に設定することを特徴とする（請求項２４）。
【００４３】
好適な実施の一形態として、高層住宅の雨水管の雨水制御を行うために、上層階と下層階の貯留タンクを従来の雨水貯水タンクとし、且つ常時開放の全量排出口を設け、雨水の取水口の取水効率を２０％以上に設定する構成において、短時間にまとまって降る強い雨を何回も繰り返す集中豪雨の際に、一回の豪雨が収まった後、次の豪雨が来るまでの間に１５分から９０分程度で前記貯留タンクが実質的に空になるように、該貯留タンクに貯留された雨水が前記貯留タンクに連通して形成されている前記全量排出口から自然に流れ出ることを特徴とする（請求項２５）。
【００４４】
好適な実施の一形態として、高層住宅の雨水管の雨水制御を行う際に上層階の貯留タンクの全量排出の時間を３０分程度又は４５分程度とし、下層階の貯留タンクの全量排出の時間を４５分以上とすることを特徴とする（請求項２６）。
【００４５】
好適な実施の一形態として、下層階の貯留タンクの全量排出の時間を１週間以上、３週間以内とすることを特徴とする（請求項２７）。
【００４６】
好適な実施の一形態として、住宅の雨水管の雨水制御を行うために貯留タンクを従来の雨水貯水タンクとし、且つ常時開放の全量排出口を設け、雨水の取水口の取水効率を２０％以上に設定する構成であって、短時間にまとまって降る強い雨を何回も繰り返す集中豪雨の際に、一回の豪雨が収まった後、次の豪雨が来るまでの間に１５分から６０分程度で前記貯留タンクが実質的に空になるように、該貯留タンクに貯留された雨水が自然に流れ出る前記全量排出口が前記貯留タンクに連通して形成されている態様を例示する（請求項２８）。
従来の雨水貯水タンクでも条件を整えれば本件特許の雨水制御装置に変わる。
【００４７】
好適な実施の一形態として、様々な本件特許の雨水制御装置であって、満杯になった前記貯留タンクが３０分程度又は４５分程度で実質的に空になるように、前記貯留タンクの容量と全量排出口の大きさとが設定されている態様を例示する（請求項２９）。
貯留タンクの大きさにより、３０分程度か４５分程度か選択して設定することが示されている。
【００４８】
好適な実施の一形態として、降雨強度が８０ｍｍ／ｈ以上の集中豪雨に対応できるように、貯留タンクの容量を３００リットル以上とし、満杯になった前記貯留タンクが４５分程度で実質的に空になるように、前記貯留タンクの容量と全量排出口の大きさとが設定されている態様を例示する（請求項３０）。
降雨強度が８０ｍｍ／ｈを超える大雨が降る地域においては、大きな貯留タンクが必要であり更に側溝の貯留タンクの必要性がある。
【００４９】
好適な実施の一形態として、本件特許の雨水制御方法であって、満杯になった前記貯留タンクが３０分程度又は４５分程度で実質的に空になるように、前記貯留タンクの容量と全量排出口の大きさとが設定されていることを特徴とする（請求項３１）。
貯留タンクの大きさにより、３０分程度か４５分程度か選択して設定することが示されている。
【００５０】
好適な実施の一形態として、降雨強度が８０ｍｍ／ｈ以上の集中豪雨に対応する場合は、側溝の貯留タンクの容量を１６００リットル以上とし、満杯になった前記側溝の貯留タンクが３０分から９０分程度で実質的に空になるように、前記貯留タンクの容量と全量排出口の大きさとが設定されていることを特徴とする（請求項３２）。
降雨強度が８０ｍｍ／ｈを超える大雨が降る地域においては、側溝の貯留タンクも採用し、実際の豪雨に適合する全量排出時間になるように調整可能にすることが必要である。
【００５１】
好適な実施の一形態として、道路の地中に多数の貯水用中空ブロックを並べて埋設し、この中空ブロックを連通管で相互に接続して大型の貯留タンクとし、前記集水槽と任意の中空ブロックを接続して地面に降雨した雨水を集め該大型の貯留タンクに一時保水し、かつ任意の中空ブロックから雨水を排出する地下の雨水管に新たな流量絞りを備え、前記大型の貯留タンクをゆっくりと長い時間をかけて自然排水する全量排出口を有する態様を例示する（請求項３３）。
【００５２】
好適な実施の一形態として、前記多数の中空ブロックの代わりに多数の雨水管を埋設して大型の貯留タンクとする態様を例示する（請求項３４）。
【００５３】
好適な実施の一形態として、地中に多数の貯水用中空ブロックを並べて埋設し、この中空ブロックを連通管で相互に接続して大型の貯留タンクとし、地面に設けた集水槽と任意の中空ブロックを接続して地面に降雨した雨水を集め該大型の貯留タンクに一時保水し、かつ任意の中空ブロックから雨水を排出する地下の雨水管に流量絞りを備え、前記大型の貯留タンクをゆっくりと長い時間をかけて自然排水する全量排出口を有する態様を例示する（請求項３５）。
【００５４】
好適な実施の一形態として、前記多数の中空ブロックの代わりに多数の雨水管を埋設して大型の貯留タンクとする態様を例示する（請求項３６）。
【００５５】
好適な実施の一形態として、前記大型の貯留タンクを自然排水する全量排出の時間を１週間以上、３週間以内とする態様を例示する（請求項３７）。
【図面の簡単な説明】
【００５６】
【図１】本発明の実施の一形態に係る雨水制御装置を含む、雨水管及び汚水桝の配管系の説明図である。
【図２】図１の要部の拡大断面図である。
【図３】図２の変形例の説明図である。
【図４】図２の変形例の説明図である
【図５】図２の変形例の説明図である。
【図６】図２の変形例の説明図である。
【図７】図４の変形例の説明図である。
【図８】図７の変形例の説明図である。
【図９】図８の変形例の説明図である。
【図１０】図７の変形例の説明図である。
【図１１】流量絞りによる雨水通過率を調整可能とするための具体例を示す説明図である。
【図１２】従来例の雨水管及び汚水桝の配管系の説明図である。
【図１３】図９の貯留タンクを地中に埋設した場合を示す。
【図１４】貯留タンクが地中に埋設されて雨水枡を兼ねる場合を示す。
【図１５】図７の貯留タンクを高層住宅のベランダの下に配置した場合を示す。
【図１６】高層住宅の貯留タンク、一回の豪雨の直後を示す。
【図１７】高層住宅の貯留タンク、一回の豪雨が収まった後、３０分経過後を示す。
【図１８】高層住宅の貯留タンク、次の豪雨の直後を示す。
【図１９】下層階の貯留タンクの全量排出の時間が１週間以上、３週間以内の場合。
【図２０】降雨強度６０ｍｍ／ｈの際の４００リットルと２００リットルのグラフ。
【図２１】分流式下水道の場合の地下の雨水管における雨水制御装置（簡易型）。
【図２２】分流式下水道の場合の地下の雨水管における雨水制御装置
【図２３】図２１変形例の説明図である。
【図２４】図２２変形例の説明図である。
【図２５】降雨強度６０ｍｍ／ｈの際の２５０リットルのグラフ。
【図２６】降雨強度８０ｍｍ／ｈの際の１６００リットルの側溝の貯留タンクのグラフ。
【図２７】降雨強度１６０ｍｍ／ｈの際の１６００リットルの側溝の貯留タンクのグラフ。
【図２８】平成２７年９月の関東・東北豪雨  線状降水帯の豪雨を示す。
【図２９】平成２４年７月の九州北部豪雨    線状降水帯の豪雨を示す。
【図３０】平成２４年７月の九州北部豪雨    線状降水帯の豪雨を示す。
【図３１】集中豪雨のグラフ
【図３２】道路下の貯蓄タンク
【発明を実施するための形態】
【００５７】
以下、添付図面を参照して、本発明の実施の形態について説明する。
【００５８】
図１に示すように、住宅１に対応する汚水桝２が住宅敷地の地中に埋設され、この汚水桝（宅内汚水桝）２には、汚水管３と雨水管４とが連通する。汚水桝２は、それ自体公知のものであり、屎尿や生活雑排水等の住宅の汚水を受け入れて貯留し、その貯留水を、下水排水管５を通して下水道へと排出する。汚水桝自体の構成は本発明の要旨とは関係がないので説明を省略する。
【００５９】
図１では、汚水源６及び汚水管３の一例として、住宅のトイレ（便器）と、このトイレから汚水桝２へと延びる汚水管を図示してある。図示してはいないが、他の汚水源６として、台所の流し、風呂場、洗濯場等が挙げられる。
【００６０】
雨水管４は、地上管７と埋設管８とからなる。地上管７は、住宅の雨樋であり、住宅１の軒に沿って配設される軒樋９と、この軒樋９から住宅の外部を地面まで延びる縦樋１０とで構成される。この縦樋１０は、地中に配設される埋設管８に接続され、この埋設管８が汚水桝２に接続される。図１の例では、一つの軒樋に対し、縦樋１０と埋設管８との組合せが二系統配設されているが、縦樋１０と埋設管８との組み合わせは少なくとも一系統あればよい。
【００６１】
なお、図１の別例として、図１０に示すように、汚水桝２に代えて雨水専用の雨水桝２ａに縦樋１０の雨水が導入される態様であってもよい。
【００６２】
図１に示すように、縦樋１０の下部には連結ボックス１７が配設される。
【００６３】
図２に示すように、連結ボックス１７は、上下方向に延びる筒状の部材である。該連結ボックス１７は、上下に二分割された縦樋１０の、上側樋（上側管）１３の下端１３ａと下側樋（下側管）１４の上端１４ｂを包み込むように配設される。連結ボックス１７は円筒型でも角筒型でもそれらの結合型でもよいが、縦樋１０が通常円筒状なので、それに合わせて円筒状とすると外観上の調和がよいと思われる。
【００６４】
既設の縦樋１０に設置する場合には、縦樋１０を包囲するように組み合わせ可能な分割部品の液密な結合によって連結ボックス１７が形成される態様とすると好適である。例えば、二つの半円筒型の分割部品の結合により縦樋１０の周囲に連結ボックス１７が円筒型に形成される態様や、半円筒型又は断面Ｕ字形の第一の分割部品と平板状の第二の分割部品との結合により、縦樋１０の周囲に連結ボックス１７が形成される態様である。このようにすれば、既設の縦樋に対して連結ボックスを後付けする場合の後付け作業が簡単且つ迅速に行える利点がある。
【００６５】
連結ボックス１７は、下端に内向きフランジ１８を備え、上端の少なくとも一部が開放されている。下端の内向きフランジ１８は、下側樋１４の外周面に対して液密に連結される。上側樋１３と下側樋１４の間の隙間が連結ボックス１７の内部に連通しており、縦樋１０を流れる雨水が連結ボックス１７内にも流入できるようになっている。そして、連結ボックス１７の内周面と上側樋１３の外周面と内向きフランジ１８とで画成される空間が過剰水の流路となり、またこの空間は貯留タンクの大きさになる。連結ボックス１７の上端開口部が過剰水排出口２０となる。図２では、連結ボックス１７の上端を全て開口させて過剰水排出口２０としてあるが、これには限定されず、連結ボックス１７の上端の一部を開口させて過剰水排出口とすることもできる。
【００６６】
また、内向きフランジ１８は、連結ボックス１７に対しても液密に連結され、連結ボックス１７と縦樋１０の固定の役割も果たす。
【００６７】
図２の例では、過剰水排出口２０を自動的に開閉する蓋２１が設けられる。この蓋２１は、過剰水排出口２０を常時は閉じ、且つ、連結ボックス１７内の水圧によって過剰水排出口２０を自動的に開放する。
【００６８】
蓋２１は、常時は蓋受け２２によって支持される。この蓋受け２２は、網状等の通水可能なものであり、連結ボックス１７の内周面と上側樋１３の外周面との間に配設されて、連結ボックス１７の内部の上部に位置する。蓋２１の中央部には、上側樋１３を受け入れる孔２３が形成される。この孔２３で案内されて蓋２１が上側樋１３に沿って上下動し、連結ボックス１７内の水圧に応じて過剰水排出口２０が自動的に開閉される。
【００６９】
また、蓋受け２２は、連結ボックス１７と縦樋１０の固定の役割も果たす。
【００７０】
蓋２１を設けることで、過剰水の排出が必要なとき以外は常時、過剰水排出口２０が閉じられるので、過剰水排出口２０から異物が入り込んでしまうことが防止できる。蓋２１を設けることは、過剰水排出口２０を上向きにした場合に特に有効となる。但し、蓋２１の配設は任意である。
【００７１】
なお、蓋２１は、自重のみによって過剰水排出口２０を閉じるものであってもよいし、自重プラスばね力で過剰水排出口２０を閉じるものであってもよい。
【００７２】
上側樋１３と下側樋１４の間の隙間の上下寸法は任意であるが、図３に示すように、連結ボックス１７の上端付近まで拡張することができる。このようにすれば、貯留タンク１９になる空間が図２のものより少しだけ拡張される。
【００７３】
図２の例では、下側樋１４内に、汚水桝２への雨水の流入量を制限する流量絞り２４が設けられる。流量絞り２４は、雨水の流路（開口２４ａ）と流量絞り面２４ｂとを備え、流量絞り面２４ｂが下側樋１４の流路（開口２４ａ）の面積を狭めることで、雨水管から下流側への雨水管内における雨水の流量を制限する。流量絞り２４によって汚水桝２への流入を制限された雨水は、貯留タンク１９内に溜められる。貯留タンク１９が満杯になるほど雨量が多い場合には、貯留タンクの容量を超える過剰な雨水が蓋受け２２上の蓋２１を押し上げ、過剰水排出口２０から外部へ流出する。流量絞り２４を設けることで、汚水桝２への、ひいては下水道への、雨水の流入量が予め制限されるので、集中豪雨時における下水道の機能不全や、汚水桝２から汚水源６への汚水の逆流が防止できる。短時間にまとまって降る強い雨を何回も繰り返す集中豪雨の際に、一回の豪雨が収まった後、次の豪雨が来るまでの間に１５分から６０分程度で前記貯留タンクが実質的に空になるように、貯留タンク１９に貯留された雨水が自然に流量絞り２４を通って下流側へと流れ出る。
【００７４】
後で図１１を参照して説明するように、流量絞り２４の雨水通過率が無段階に調整できる態様とするのが好ましい。これにより、流量絞り２４を通過する雨水の流量調整が可能となる。流量絞りの２４の雨水通過率は、雨水で満杯となった貯留タンク１９が、一回の豪雨が収まった後、次の豪雨が来るまでの間に１５分から６０分程度で実質的に空になるように調整するのが好ましい。
【００７５】
図２の例は、上下方向に延びる筒状の連結ボックス１７を、縦樋１０を包み込むように縦樋１０に対して配設する構成であるので、省スペース的で美感も良い。
【００７６】
なお、前記構成に代えて、図３に示すように、連結ボックス１７の上端開放部の過剰水排出口２０が蓋２０ａで塞がれて密閉される構成とし、連結ボックス１７の周囲の上部の一部を切り欠き、上端部に近い位置に新たな過剰水排出口２０ｂを横向きに設けても良い。この場合、横向きの過剰水排出口２０ｂを、水圧に応じて自動開閉自在な図示しない蓋で覆う構成としてもよいし、該蓋のない構成とすることもできる。
【００７７】
図４に図２の変形例を示す。流量絞り２４は、連結ボックス１７の上部に移動してある。縦樋１０の一部を切欠いて形成した開口部４０が流量絞り２４の上流側に配設される。連結ボックス１７の内周面と縦樋１０の外周面と連結ボックス１７の下端の内向きフランジ１８とで画成される空間が貯留タンクの大きさ（容量）となる。貯留タンク１９の容量は、例えば２００〜４００リットルとする。
【００７８】
内向きフランジ１８より上方位置で縦樋１０の一部を切欠いて、戻し穴９９が形成される。戻し穴９９は、一回の豪雨が収まった後に、貯留タンク１９内の雨水を流量絞り２４の下流側の縦樋１０へ少量ずつゆっくりと戻すための全量排出口である。戻し穴９９の大きさを適宜に設定することで、戻し穴９９から縦樋１０への雨水の戻り時間（全量排出時間）を調整できる。一回の豪雨が収まった後、次の豪雨が来るまでの間に１５分から６０分程度で貯留タンク１９が実質的に空になるように戻し穴９９の大きさを設定するのが良い。
【００７９】
流量絞り２４の作用で開口部４０から溢れ出た過剰の雨水は、貯留タンク１９内に流れ落ちて下から順に貯留される。貯留タンク１９の容量を超える雨水は、蓋２１を押し上げて連結ボックス１７の上端の過剰水排出口２０から外に流れ出る。一回の豪雨が小雨になり、縦樋１０内の雨水の全量が流量絞り２４を通過できる状態になると、貯留タンク１９への雨水の流入はなくなり、貯留タンク１９内の水圧の低下により、蓋２１が自然に閉まる。その後、貯留タンク１９内の雨水は、貯留タンク１９の下部の戻し穴９９から縦樋１０へと流出する。そして、再び豪雨が来ると、貯留タンク１９の貯水機能が再び発揮される。
【００８０】
なお、図４においても、図３の例と同様に、連結ボックス１７の上端の過剰水排出口２０が蓋で塞がれて密閉される構成とし、連結ボックス１７の周囲の上部の一部を切り欠き、上端部に近い位置に過剰水排出口２０の代わりに新たな過剰水排出口２０ｂ（逃げ口）を横向きに設けても良い。この場合、横向きの過剰水排出口２０ｂ（逃げ口）を、水圧に応じて自動開閉自在な図示しない蓋で覆う構成としてもよいし、該蓋のない構成とすることもできる。
【００８１】
図５の例は図２の変形例である。よって、図２の例と同じ部分には図２と同じ符号を付して重複する説明を省略する。図２の例との違いは、雨水管としての縦樋を上下に二分割することに代えて、縦樋の一部を切欠いて開口部４０を形成し、切り欠いた開口部４０の下流側の縦樋１０の内部に流量絞り２４が設けられた点である。開口部４０は、連結ボックス１７内で過剰水排出口２０と連通する。
【００８２】
図６の例も図２の変形例である。この例は、連結ボックス１７が縦樋１０に対して偏心して設置される態様である。この態様は、連結ボックス１７を備える図３〜図５にも適用可能である。この態様においては、縦樋１０の中心軸線Ｘ２に対して連結ボックス１７の中心軸線Ｘ１が住宅の壁面Ｗから遠い位置となるように偏心させて、縦樋１０に対して連結ボックス１７を設置する。これにより、縦樋１０と住宅の壁面Ｗとの間の隙間が小さい場合でも、連結ボックス１７を縦樋１０に対して確実に取り付けることができる。
【００８３】
なお、図２〜図６の例は、戸建て住宅の縦樋に適用できることは勿論であるが、高層住宅のベランダの縦樋について適用すると特に好適である。すなわち、高層住宅では、大雨の際に雨水桝が満杯になり、又は縦樋が細いと上層階の雨水だけで縦樋が満杯になり、低層階の住宅のベランダに雨水が滞留してしまうという問題が生ずる。そこで、貯留タンク１９を備え、貯水機能を有する図２〜図６の例を、高層住宅の各階（特に低層階）のベランダの縦樋に適用することで、集中豪雨時におけるベランダに雨水が滞留してしまうという問題や下水道の機能不全を防止することができる。貯留タンク１９の容量を大きくしておけばおくほど効果が大きいことは勿論である。
【００８４】
図７は、図４の変形例である。この例は、縦樋１０と連結ボックス１７を二重円筒構造にして貯留タンク１９を形成することに代えて、貯留タンク１９を縦樋１０の横に設置するタイプである。図７の例は、特に既設の縦樋１０に付設する場合に好適である。
【００８５】
上下方向に延びる筒状の貯留タンク１９を縦樋１０の横に配設する。貯留タンクは上端と下端が密閉され、上端に近い位置の縦樋１０に管継ぎ手１２が設けられ、この管継ぎ手１２に接続される過剰水移送管１５によって縦樋１０の内部が貯留タンク１９に連通する。縦樋１０内には、管継ぎ手１２の下流側に流量絞り２４を配設する。
【００８６】
貯留タンク１９の上部の少なくとも一部を切り欠いて過剰水排出口２０ｂ（逃げ口）が設けられる。図７の例のように、貯留タンク１９の周壁の上部の一部を切り欠いて横向きの過剰水排出口２０ｂ（逃げ口）としてもよいし、貯留タンク１９の上端の少なくとも一部を開放して上向きの過剰水排出口（逃げ口）としてもよいし、過剰水排出口２０ｂを、水圧に応じて自動開閉自在な図示しない蓋で覆う構成としてもよいし、該蓋のない構成とすることもできる。
【００８７】
貯留タンク１９の下部には、縦樋１０に接続される戻し管５０が設けられ、この戻し管５０によって、流量絞り２４よりも下流側で縦樋１０の内部と貯留タンク１９の内部とが連通される。戻し管５０は、図４の戻し穴９９に対応する要素であり、一回の豪雨が収まった後に、貯留タンク１９内の雨水を流量絞り２４の下流側の縦樋１０へ少量ずつゆっくりと戻すための全量排出口である。戻し管５０の開口の面積を適宜に設定することで、貯留タンク１９内の雨水の戻し管５０から縦樋１０への戻り時間を調整できる。
【００８８】
縦樋１０において、流量絞り２４で下流への流量を制限された雨水は、過剰水移送管１５を通って貯留タンク１９内へと流入し、下から順に貯留される。貯留タンク１９の容量を超える雨水は、過剰水排出口２０ｂから外に流れ出る。一回の豪雨が小雨になり、該一回の豪雨が収まった後、次の豪雨が来るまでの間に１５分から６０分程度で前記貯留タンクが実質的に空になるように、貯留タンク１９内の雨水は、貯留タンク１９の下部の戻し管５０を通って縦樋１０へと自然に流出する。そして、再び豪雨が来ると、貯留タンク１９の貯水機能が再び発揮されるようになる。
【００８９】
図８は、図７の変形例である。図８の例は、前記貯留タンク１９の下部が戻し管５０によって前記流量絞り２４よりも下流側で縦樋１０と連通されることに代えて、前記貯留タンク１９の下部が戻し管５０によって前記流量絞り２４よりも上流側で縦樋１０と連通される態様である。すなわち、流量絞り２４が戻し管５０よりも下流側に位置している態様である。この場合、戻し管５０は過剰水移送管１５と同程度の開口の面積としても良いし、図７の例と同様に、ごく小さい開口の面積とすることもできる。図８は、過剰水移送管１５と同程度の開口の面積とした例で示してある。
【００９０】
戻し管５０の開口の面積を過剰水移送管１５と同程度にした場合には、流量絞り２４で流量を制限された過剰水は、戻し管５０を通って貯留タンク１９の中を上昇し、貯留タンク１９が満杯になると過剰水排出口２０ｂから自然に外部へと排出される。更なる過剰水は、過剰水移送管１５を通って過剰水排出口２０ｂから排出される。一回の豪雨が収まると、貯留タンク１９内に貯留された雨水は、戻し管５０と流量絞り２４とを通って、下流側へと排出される。排出時の流量は、全量排出口となる流量絞りの開口２４ａで所定値に規制されるので、戻し管５０の開口の面積が流量絞りの開口２４ａの面積より大きくても全く問題はない。
【００９１】
一方、戻し管５０の開口の面積を図７と同様にごく小さくした場合には、流量絞り２４で流量を制限された過剰水は、主として過剰水移送管１５を通って貯留タンク１９内に流入する。貯留タンク１９が満杯になると、貯留タンク１９の雨水は過剰水排出口２０ｂから自然に外部へと排出される。一回の豪雨が収まると、貯留タンク１９内に貯留された雨水は、戻し管５０と流量絞り２４とを通って、下流側へと排出される。排出時の流量は、戻し管５０の開口の面積によって規制される。
【００９２】
図９は、図８の変形例である。戻し管５０が過剰水移送管１５も兼ねる態様であり、戻し管５０は図８の過剰水移送管１５と同程度の太さ（開口の面積）とされ、過剰水は前記戻し管５０を通り貯留タンク１９の中を上昇、又は降下する構成である。図９の例は、戻し管５０が過剰水移送管１５をも兼ねるので、図８における管継ぎ手１２と過剰水移送管１５が不要である。よって、図９の例は、図８の例よりも簡易な構成となる。
【００９３】
図７〜図９の例も、貯水機能を有するので、高層住宅のベランダの縦樋について適用すると特に好適である。
【００９４】
図１０は、図７の変形例である。この例は、貯留タンク１９の上端の少なくとも一部を開放し、該上端開放部を過剰水排出口２０としたものである。上端開放部である過剰水排出口２０には、網状等の通水可能なゴミ除けを設けてもよい。
図１０では、貯留タンク１９の上端を全て開口させて過剰水排出口２０としてあるが、これには限定されず、貯留タンク１９の上端の一部を開口させて過剰水排出口２０とすることもできる。
【００９５】
縦樋１０内に流量絞り２４が配設され、流量絞り２４よりも上流側に配設した管継ぎ手１２から過剰水移送管１５が延び出す。この過剰水移送管１５の外端部１５ａが、貯留タンク１９の上端開放部の上方から貯留タンク１９の内部に向けて開口している。
【００９６】
貯留タンク１９の下部には、縦樋１０に接続される戻し管５０が設けられ、この戻し管５０によって、流量絞り２４よりも下流側で縦樋１０の内部と貯留タンク１９の内部とが連通される。戻し管５０は、図７のものと同じである。
【００９７】
また、図１０の例では、貯留タンク１９の下部に、雨水を外部へ放出するための放出穴８８が配設される。この放出穴８８は、常時開放式のものでも良いし、水道栓のような開閉操作式のものでも良い。
【００９８】
縦樋１０において、流量絞り２４で下流への流量を制限された雨水は、過剰水移送管１５を通って貯留タンク１９内へと流入し、下から順に貯留される。貯留タンク１９の容量を超える雨水は、過剰水排出口２０から外に流れ出る。一回の豪雨が小雨になり、該一回の豪雨が収まった後、次の豪雨が来るまでの間に１５分から６０分程度で前記貯留タンクが実質的に空になるように、貯留タンク１９内の雨水は、貯留タンク１９の下部の戻し管５０を通って縦樋１０へと自然に流出する。そして、再び豪雨が来ると、貯留タンク１９の貯水機能が再び発揮されるようになる。
【００９９】
図１０の例は、都会の戸建て住宅において、大雨で汚水桝２及び／又は雨水桝２ａが満杯にならないように、雨樋の過剰の雨水を自宅の敷地に散布し、浸透させ、又は／及び貯留タンク１９に一時的に多量の雨水を貯留させる態様である。これにより、都市の下水道が満杯になることを防止することができる。
【０１００】
なお、図１０では、縦樋１０内の雨水が雨水専用の雨水桝２ａに流入し、この雨水桝２ａから下水排水管５を通って下水道５５へと雨水が排出される態様を例示しているが、雨水桝２ａに代えて、図１に示す汚水桝２に雨水が導入される態様とすることもできることは勿論である。
【０１０１】
以上の実施の形態において、さらに、次のような変形例又は具体例を採用することもできる。
【０１０２】
（１）流量絞り２４による雨水通過率が縦樋１０の外部から調整可能とされる態様である。雨水通過率の調整は、段階的に行うことができるものでもよいが、図１１の例のように無段階又は連続的に行える態様とすると好適である。
【０１０３】
図１１に示すように、掛止アーム４２を有する流量絞り２４を少なくとも二つ準備する。両者は同一の構成であり、円盤状の流量絞り面４３に雨水通過孔４４を有する。この雨水通過孔４４は円形の孔であり、上から見て円形の流量絞り面４３の中心Ｏに対して偏心させて配設されている。
【０１０４】
二つの流量絞り２４，２４の流量絞り面４３，４３を図１１に矢印Ａで示すように重ね合わせて、掛止アーム４２，４２にて、縦樋１０内に吊設する。この重合吊設状態において、図１１に矢印Ｂで示すように、一方の流量絞り２４を流量絞り面４３の中心軸線Ｘの回りで回動させて、他方の流量絞り２４に対する重合角度位置を変更すると、二つの流量絞り２４，２４の偏心した雨水通過孔４４，４４の重なり具合（開口）が連続的に変化する。これにより、二つの流量絞り２４，２４によって画定される雨水通過孔４４の開口面積が連続的に変化し、雨水通過率が無段階に調整される。図１１の例によれば、雨水通過率の調整を簡易な構成で達成できて好適である。流量絞り２４の雨水通過率の調整範囲は、例えば、５％乃至４０％程度とすることができる。
【０１０５】
なお、流量絞り２４の回動操作は、掛止アーム４２の少なくとも一部が外部へ露出している場合には、掛止アーム４２の内、縦樋１０の外部に露出している部分を利用して行うことができる。別例として、掛止アーム４２の少なくとも一部が外部へ露出していない場合には、外部から流量絞り２４を回動操作できるように、外部に露出する調整レバー（操作部材）２６を掛止アーム４２に設けると好適である。例えば、図５に示すように、連結ボックス１７の周囲に横方向のスリット２６ａを設け、掛止アーム４２に連結される調整レバー２６を前記スリット２６ａから外部へ延び出させておけばよい。
【０１０６】
（２）流量絞り２４は、例えば、雨水通過率が１０％、２０％、３０％と異なるものを準備しておき、汚水桝２及び／又は雨水桝２ａの容量や排水能力に応じて選択できるようにすると良い。
【０１０７】
（３）敷地がある住宅では、図２〜図１０における貯留タンク１９の大半の部分（９０％以上）を地中に埋設して見えなくすることもできる。この場合、特に貯留タンク１９の形状は自由にできる。例えば、横に大きくして埋設の部分を浅くできる。例えば図９の貯留タンク１９を地中に埋設した場合の実施態様を図１３に示す。更に図１４は、前記貯留タンク１９が地中に埋設されて雨水枡を兼ねる場合である。図１５は、図７の貯留タンク１９を高層住宅のベランダの下に配置した場合である。尚、高層住宅の場合は貯留タンクをベランダに埋め込んで、過剰水排出口を大きくしてベランダに「池」を作ることができる。
【０１０８】
（４）満杯になった貯留タンク１９が、一回の豪雨が収まった後、次の豪雨が来るまでの間に１５分から６０分程度で実質的に空になるように、貯留タンク１９の容量と全量排出口の大きさとを設定することもできる。
流量絞りの開口２４ａ及び二つの流量絞り２４，２４の偏心した雨水通過孔４４，４４の重なり具合（開口）の大きさや、また戻し穴９９の大きさを適宜に設定することである。更にまた戻し管５０の開口の面積を適宜に設定することも、戻し管５０の直径の大きさを設定することである。従って、これらをまとめて全量排出口の大きさを設定すること、と言うことにする。全量排出口とは、常時開放の排出口であり流量絞りの開口や、戻し穴や、戻し管の開口の総称である。注）戻し穴の「穴」は開口と同義である。
（５）貯留タンクの容量を大きくして、４００リットルにする場合の実施例
貯留タンクの容量を大きくする場合の考察をいたします。
＜考察の前提条件＞
【０１０９】
瞬間的な雨の強さを１時間当たりに換算した雨量を降雨強度といいます。単位は「ｍｍ／ｈ（ミリメートル毎時）」です。
集中豪雨の標準的な１サイクル（降雨時間＋それに続く非降雨時間）を６０分（降雨時間３０分＋それに続く非降雨時間３０分）と仮定します。
一般の戸建て住宅の場合、敷地６０坪、その半分の３０坪が住宅の広さとすれば、３０坪×３．３平方メートル＝９９平方メートル・・・約１００平方メートルとなります。
降雨強度８０ｍｍ／ｈの豪雨が３０分降ったと仮定しますと、前記敷地面積での３０分の降雨量は、面積１００平方メートル×高さ０．０８ｍ×３／４＝６立方メートル＝６０００リットルとなります（図３１参照）。住宅の屋根に降った雨が４本の縦樋に分かれて流れ落ちると仮定しますと、縦樋１本当たり１５００リットル流れることになります。  注）３／４＝０．７５→７５％
今回も引用文献２（特開２０００−０７３４１７号公報）の図２の、４．貯留槽部  ５．流出抑制槽部  ６．オリフィス  ７．余水吐管   ８．排水管を用いて思考実験してみます。貯留槽部４、流出抑制槽部５のそれぞれの容量を４００リットルと仮定します。
＜全量排出時間が１２０分の場合＞
【０１１０】
縦樋１本当たり１５００リットルの雨水が最初の降雨時の３０分において貯留槽部４（４００リットル）と流出抑制槽部５（４００リットル）とを満たすとき、この３０分の間にオリフィスから設定された量が排水されて行きます。もし、オリフィス６が１２０分で４００リットルを排水するように設定されていると、  降雨時の３０分の間にオリフィスから排水されるのは１００リットルですから、溢れた（７００―１００）リットルの過剰水が余水吐管７から排出されて排水管８に一気に流れて行きます。流出抑制槽部５には、（４００リットル）が残るが、直後の非降雨時間において、流出抑制槽部５の中の雨水は（４００−１００）リットルになる。
ここで、次の２サイクル目の降雨時間になると、貯留槽部４の４００リットルは既に貯留されたままなので、すぐに流出抑制槽部５に雨が流れ込み、流出抑制槽部５には３００リットルに次の雨水が（１００リットル）追加されて即座に満杯になり、１００リットルがオリフィス６から排水され、溢れた１３００リットルの過剰水が余水吐管７から排出されて排水管８に一気に流れて行きます。一気に流れる程度は１３００／１５００＝０．８７となります。直後の非降雨時間において、流出抑制槽部５の中の雨水は（４００−１００）リットルになる。
ここで、次の３サイクル目の降雨時間になると、貯留槽部４の４００リットルは既に貯留されたままなので、すぐに流出抑制槽部５に雨が流れ込み、流出抑制槽部５には３００リットルに次の雨水が（１００リットル）追加されて即座に満杯になり、１００リットルがオリフィス６から排水され、溢れた１３００リットルの過剰水が余水吐管７から排出されて排水管８に一気に流れて行きます。一気に流れる程度は１３００／１５００＝０．８７となります。直後の非降雨時間において、流出抑制槽部５の中の雨水は（４００−１００）リットルになる。
＜全量排出時間が９０分の場合＞
【０１１１】
もし、オリフィス６が９０分で４００リットルを排水するように設定されていると、３０分の降雨時間の間にオリフィス６から排水されるのは１３３リットルとなります。最初の降雨時の３０分において貯留槽部４（４００リットル）を満たし、流出抑制槽部５も（４００リットル）満たす。  ３０分の降雨時間の間にオリフィス６から排水されるのは１３３リットルだから、溢れた（７００―１３３）リットルの過剰水が余水吐管７から排出されて排水管８に一気に流れて行きます。流出抑制槽部５には（４００リットル）が残留しますが、直後の非降雨時間において、流出抑制槽部５の中の雨水は（４００−１３３）リットルが残ります。
ここで、次の２サイクル目の降雨時間になると、貯留槽部４の４００リットルは既に貯留されているので、すぐに流出抑制槽部５に雨が流れ込み、流出抑制槽部５には２６７リットルに次の雨水が（１３３リットル）追加されて即座に満杯になり、１３３リットルがオリフィス６から排水され、溢れた１２３４リットルの過剰水が余水吐管７から排出されて排水管８に一気に流れて行きます。一気に流れる程度は１２３４／１５００＝０．８２３となります。直後の非降雨時間において、流出抑制槽部５の中の雨水は（４００−１３３）リットルになる。
ここで、次の３サイクル目の降雨時間になると、貯留槽部４の４００リットルは既に貯留されているので、すぐに流出抑制槽部５に雨が流れ込み、流出抑制槽部５には２６７リットルに次の雨水が（１３３リットル）追加されて即座に満杯になり、１３３リットルがオリフィス６から排水され、溢れた１２３４リットルの過剰水が余水吐管７から排出されて排水管８に一気に流れて行きます。一気に流れる程度は１２３４／１５００＝０．８２３となります。直後の非降雨時間において、流出抑制槽部５の中の雨水は（４００−１３３）リットルになる。
＜全量排出時間が７５分の場合＞
【０１１２】
もし、オリフィス６が７５分で４００リットルを排水するように設定されていると、３０分の降雨時間の間にオリフィス６から排水されるのは１６０リットルとなります。最初の降雨時の３０分において貯留槽部４（４００リットル）を満たし、流出抑制槽部５も（４００リットル）満たす。  ３０分の降雨時間の間にオリフィス６から排水されるのは１６０リットルだから、溢れた（７００―１６０）リットルの過剰水が余水吐管７から排出されて排水管８に一気に流れて行きます。流出抑制槽部５には（４００リットル）が残留しますが、直後の非降雨時間において、流出抑制槽部５の中の雨水は（４００−１６０）リットルが残ります。
ここで、次の２サイクル目の降雨時間になると、貯留槽部４の４００リットルは既に貯留されているので、すぐに流出抑制槽部５に雨が流れ込み、流出抑制槽部５には２４０リットルに次の雨水が（１６０リットル）追加されて即座に満杯になり、１６０リットルがオリフィス６から排水され、溢れた１１８０リットルの過剰水が余水吐管７から排出されて排水管８に一気に流れて行きます。一気に流れる程度は１１８０／１５００＝０．７８７となります。直後の非降雨時間において、流出抑制槽部５の中の雨水は（４００−１６０）リットルになる。
ここで、次の３サイクル目の降雨時間になると、貯留槽部４の４００リットルは既に貯留されているので、すぐに流出抑制槽部５に雨が流れ込み、流出抑制槽部５には２４０リットルに次の雨水が（１６０リットル）追加されて即座に満杯になり、１６０リットルがオリフィス６から排水され、溢れた１１８０リットルの過剰水が余水吐管７から排出されて排水管８に一気に流れて行きます。一気に流れる程度は１１８０／１５００＝０．７９となります。
＜全量排出時間が６０分の場合＞
【０１１３】
もし、オリフィス６が６０分で４００リットルを排水するように設定されていると、３０分の降雨時間の間にオリフィス６から排水されるのは２００リットルとなります。最初の降雨時の３０分において貯留槽部４（４００リットル）を満たし、流出抑制槽部５も（４００リットル）満たす。  ３０分の降雨時間の間にオリフィス６から排水されるのは２００リットルだから、溢れた（７００―２００）リットルの過剰水が余水吐管７から排出されて排水管８に一気に流れて行きます。流出抑制槽部５には（４００リットル）が残留しますが、直後の非降雨時間においては、流出抑制槽部は（４００−２００）リットルが残る。
ここで、次の２サイクル目の降雨時間になると、貯留槽部４の４００リットルは既に貯留されているので、すぐに流出抑制槽部５に雨が流れ込み、２００リットルに２００リットル追加されて満杯になり、２００リットルがオリフィス６から排水され、溢れた１１００リットルの過剰水が余水吐管７から排出されて排水管８に一気に流れて行きます。一気に流れる程度は１１００／１５００＝０．７３３となります。直後の非降雨時間において、流出抑制槽部５の中の雨水は（４００−２００）リットルになる。
ここで、次の３サイクル目の降雨時間になると、貯留槽部４の４００リットルは既に貯留されているので、すぐに流出抑制槽部５に雨が流れ込み、２００リットルに２００リットル追加されて満杯になり、２００リットルがオリフィス６から排水され、溢れた１１００リットルの過剰水が余水吐管７から排出されて排水管８に一気に流れて行きます。一気に流れる程度は１１００／１５００＝０．７３となります。直後の非降雨時間において、流出抑制槽部５の中の雨水は（４００−２００）リットルになる。
＜全量排出時間が４５分の場合＞
【０１１４】
もし、オリフィス６が４５分で４００リットルを排水するように設定されていると、３０分の降雨時間の間にオリフィス６から排水されるのは２６７リットルとなります。最初の降雨時の３０分において貯留槽部４（４００リットル）を満たし、流出抑制槽部５も（４００リットル）満たす。  降雨時の３０分の間にオリフィスから排水されるのは２６７リットルですから、溢れた（７００―２６７）リットルの過剰水が余水吐管７から排出されて排水管８に一気に流れて行きます。流出抑制槽部５には、（４００）リットルが残る。流出抑制槽部５には４００リットルが貯留されているが、直後の非降雨時間において、流出抑制槽部５には（４００−２６７）リットルが残留します。
ここで、次の２サイクル目の降雨時間になると、貯留槽部４の４００リットルは既に貯留されているので、すぐに流出抑制槽部５に雨が流れ込み、１３３リットルに２６７リットル追加されて満杯になり、２６７リットルがオリフィス６から排水され、溢れた９６６リットルの過剰水が余水吐管７から排出されて排水管８に一気に流れて行きます。一気に流れる程度は９６６／１５００＝０．６４となります。直後の非降雨時間において、流出抑制槽部５の中の雨水は（４００−２６７）リットルになる。
ここで、次の３サイクル目の降雨時間になると、貯留槽部４の４００リットルは既に貯留されているので、すぐに流出抑制槽部５に雨が流れ込み、１３３リットルに２６７リットル追加されて満杯になり、２６７リットルがオリフィス６から排水され、溢れた９６６リットルの過剰水が余水吐管７から排出されて排水管８に一気に流れて行きます。一気に流れる程度は９６６／１５００＝０．６４となります。直後の非降雨時間において、流出抑制槽部５の中の雨水は（４００−２６７）リットルになる。
＜全量排出時間が３０分の場合＞
【０１１５】
更にもし、オリフィスが３０分で４００リットルを排水するように設定されていると、降雨時間３０分の間にオリフィスから排水されるのは４００リットルです。そうすると、１５００リットルの雨水が最初の降雨時の３０分において、貯留槽部４（４００リットル）を満たし、流出抑制槽部５も（４００リットル）満たすが、オリフィスからその（４００リットル）が排水されていることになり、溢れた（７００―４００）リットルの過剰水が余水吐管７から排出されて排水管８に一気に流れて行きます。流出抑制槽部５には、（４００）リットルが残る。流出抑制槽部５には４００リットルが貯留されているが、直後の非降雨時間において、流出抑制槽部５には（４００−４００）リットルが残留します。すなわち流出抑制槽部は空になる。
ここで、次の２サイクル目の降雨時間３０分において、貯留槽部４の４００リットルは既に貯留されたままなので、すぐに流出抑制槽部５に雨が流れ込み、４００リットル追加されて満杯になり、４００リットルがオリフィス６から排水され、溢れた７００リットルの過剰水が余水吐管７から排出されて排水管８に一気に流れて行きます。その直後の非降雨時間においては、流出抑制槽部の４００リットルから４００リットルが排出され空になる。
結局、降雨時に４００リットルがオリフィス６から排水され、非降雨時にも４００リットルが排出され、８００リットルがオリフィス６から排水される。
しかし、３０分で４００リットルを排出することは、１３．３リットル／ｍの流量であり、その流出抑制効果は５０％  ／１．００＝５０％  の流出抑制効果と評価される。８００リットル×（１−０．５０）＝４００リットルが一気に排水されたと同じである。一気に流れる程度は（４００＋７００）／１５００＝０．７３となる。
＜全量排出時間が１５分の場合＞
【０１１６】
また、オリフィスが１５分で４００リットルを排水するように設定されていると、降雨時間３０分の間にオリフィスから排水されるのは８００リットルとなります。１５００リットルの雨水が流出抑制槽部５に７００リットル貯留されて残るが非降雨時には排出され空になる。１５００リットルが全てオリフィスから排水される。
１５分で４００リットルを排水すると、２６．７リットル／ｍの流量であり、３０分で４００リットルを排出する１３．３リットル／ｍの流量と比較すると、（５０％／２．０）２５％  の流出抑制効果と評価される。１５００リットル×０．７５＝１１２５リットルが一気に排水されたと同じであるから、一気に流れる程度は１１２５／１５００＝０．７５となる。
＜考察結果のグラフ化＞
【０１１７】
以上の考察結果をグラフにすると、図２０のようになります。ここには、降雨強度６０ｍｍ／ｈの際の４００リットルのグラフと、２００リットルのグラフも参考に示している。
この考察結果より言えることは、２００リットルの貯留タンクの場合は満杯の貯留タンクを３０分程度で空にする設定が最も高い流出抑制の効果が得られ、３００リットル以上の貯留タンクの場合は満杯の貯留タンクを４５分程度で空にする設定が最も高い流出抑制の効果が得られることである。２５０リットルの貯留タンクの場合も満杯の貯留タンクを３０分分程度で空にする設定が良いと計算されるが、実施に当たっては実験結果で判断するのが確実と思われる（図２５参照）。図２６は降雨強度８０ｍｍ／ｈの際の１６００リットルの側溝の貯留タンクのグラフである。側溝の貯留タンクの構造は住宅の雨水管や貯留タンクと相似した構造にする。住宅の雨水管や貯留タンクの大きさに比例する形に設計する。雨水量が雨水管４本分の場合に４００リットルの４倍の１６００リットルの貯留タンクに設計された場合、降雨強度８０ｍｍ／ｈの際と降雨強度６０ｍｍ／ｈの際とを比較する。これを図２６に示す。
平成２７年９月の関東・東北豪雨は、線状降水帯の豪雨（台風の影響）であり、降雨強度が６０ｍｍ／ｈの大雨で２〜３時間継続した。豪雨は１回限りであるが本件特許の雨水制御装置では完全な対応はできない（図２８）。タンクの容量を大きくして、保水能力を増やす以外にない。そのためには側溝の貯留タンクの採用が望まれる。平成２８年６月熊本県の線状降水帯の豪雨は１５０ｍｍ／ｈの大雨であり、更に降雨量が増している。一般の住宅にあっては１６００リットルもの貯留タンクは適切でない。一般の住宅では３００〜４００リットルの貯留タンクを有する雨水制御装置を設置し、更に側溝の１６００リットル以上の貯留タンクの雨水制御装置を併用して、これらの集中豪雨や、線状降水帯（台風の影響）の豪雨に対策することを薦めます（図２７）。平成２４年７月の九州北部豪雨の線状降水帯の例を図２９、図３０に示す。図２９、こちらは豪雨が３回繰り返し継続しており、８０ｍｍ／ｈの大雨が一回、５０ｍｍ／ｈの大雨が２回ほど降っている。
側溝の貯留タンクの場合、まだ計算に入れていない雨水量がある。道路に降った雨水と住宅の屋根以外に降った雨水である。これらを含めると、側溝の貯留タンクの大きさは更に大きなものが必要になってくるが、実施する現場に合わせてご検討願いたい。また、住宅の雨水管からの雨水が側溝に合流せずに図２１の雨水管４６Ａへ直接流れる場合もある。この場合は道路に降った雨水と住宅の屋根以外に降った雨水を側溝の貯留タンクへ流入として設計して、全量排出時間を設定していただきたい。側溝の貯留タンクの構造は住宅の雨水管や貯留タンクと相似した構造にするという設計思想は変わりません。雨水管４６Ａの一部を貯留タンクとする場合も同様です。
（６）高層住宅に本件特許を実施する際の提案
【０１１８】
高層住宅の場合１戸  ７０平方メートル、５階建て５０戸では各階１０戸だから７０平方メートル×１０戸＝７００平方メートル程度の屋上の面積があります。豪雨が５０ｍｍ/時間なら、０．０５メートル/時間ですから７００×０．０５＝３５立法メートルの半分の１７．５立法メートルの雨水量が屋上に降る（雨はその中でも３０分程度しか続かない）。１立法メートル＝１００×１００×１００立法センチメートル＝１００００００立法センチメートル（ｃｃ）＝１０００リットル。（１リットル＝１０００ｃｃ）。
１７．５×１０００リットル＝１７５００リットル、すなわち１万７５００リットルです。
５０戸に２００リットルの雨水貯留タンクを設置した場合、５０×２００リットル＝１００００リットル＝１万リットルの雨水を貯留できるので、最初の豪雨３０分で５０戸の貯留タンクが満杯になる。
【０１１９】
例えば２０階の高層住宅の場合、上層階の約８階分の貯留タンクが一回の豪雨で満杯になる。但しこれは従来の雨水貯水タンクの場合であり、縦方向に各階一戸当たり１７５０リットルが一本の雨水管を流れ、各戸の貯留タンクに２００リットルを取水するとすれば、８階分で１６００リットル、残り１５０リットルは、下層階の雨水管へ流れ落ちる。雨水管の取水口の取水効率は降雨量の９％となる。これは理論値であり実際は取水されずに下層階の雨水管に流れ落ちるから、少し多めの取水効率１０〜２０％程度に設定する。１７５０リットルの３０％は取水されずに下層階の雨水管へ流れ落ちると仮定すると、上層階の６階分に２００リットルが貯留されるであろう。上層階の残り２階分にも１００リットル以上は貯留されるであろう。
【０１２０】
尚、各戸のベランダに横から降り込む雨水は少量なので計算に入れていない。
これに本件特許を採用する場合は、各戸の貯留タンクに常時開放の全量排出口が設けられますので、一回の豪雨の降雨時間３０分の間に２００リットルを全量排出口から排出します。取水口は降雨量の２０％以上を取水するように設定する必要があります。前記一回の豪雨が収まると、１５分から６０分程度で上層階の８階分の貯留タンクは空になる。下層階の貯留タンクも２００リットルの全量排出能力がありますので、上層階の貯留タンクからの８階分の雨水が下層階の雨水管に流れ落ちると、この際も同様に２０％以上の取水効率によりタンク容量の２倍の４００リットルが取水され、その内２００リットルが貯留されて２００リットルが全量排出口から階下の雨水管に合流し流れ落ちる。下層階の貯留タンクでも何階分かは２００リットルが貯留されそうである。次の豪雨でも同様の状態が繰り返される。
ここで明らかな様に、下層階の１２階分の貯留タンクも次々と雨水貯留と全量排出を繰り返し、下水管へ雨水を排出してゆく。
【０１２１】
毎回の豪雨の雨量の何割かは各階の貯留タンクに一時貯留され、残りは取水されずに下水管へ直行する雨水もある。思考実験では詳細な解明は困難であるが大まかには、毎回の豪雨の雨水の下水管へ流出抑制が実現でき、下水管が満杯になることを防止できる。
尚、取水効率は雨水管（縦樋）が満水の時に取水口から取水できる比率とする。取水口の形状は任意であるが、一般には縦樋の中央か内面に沿って取水口が設けられている（特開２００９−５６７８６、実用新案登録第３１４８７９３号参照）。
集中豪雨の対策を更に効率良くする案として、下層階の１２階分を本件特許の貯留タンクとすれば前記一回の豪雨の雨水を更に長い時間、一時保水することができる。
この時、下層階の１２階分の貯留タンクの全量排出の時間を変えて、３０分以上とすると一時保水の時間を更に長くできる。
【０１２２】
上層階の貯留タンクも本件特許の貯留タンクとすることができる。  本件特許の雨水制御装置を用いて、高層住宅の雨水管の雨水制御を行う際に上層階の貯留タンクの全量排出の時間を３０分程度又は４５分程度とし、下層階の貯留タンクの全量排出の時間を４５分以上とする。  その際は上層階の貯留タンクの流量絞りの雨水通過率を各階毎に４０％から５％へ変化させて、過剰水排出口からの雨水量が過大にならないように制御するのが良いと思われる。
【０１２３】
図１６は、高層住宅の貯留タンク、一回の豪雨の直後の想定図である。図１７は、高層住宅の貯留タンク、一回の豪雨が収まった後、３０分経過後の想定図である。図１８は、高層住宅の貯留タンク、次の豪雨の直後の想定図である。これは図１６とほぼ同じであるが、下層階の貯留タンクの前記一回の豪雨の雨水は空になっていて、最下層の貯留タンクにいくらかの雨水が残っているだけである。大半の雨水は全量排出口からゆっくりと雨水枡に排出されており、流出抑制の効果が発揮されている。■は２００リットルが満タン、▲は１００リットル以上、★は１００リットル以下の貯留タンクの状態を示している。
【０１２４】
下層階の貯留タンクの全量排出の時間を３０分以上とする設定を、高層住宅の場合は１週間以上とすることもできる。こうすることで、例えば豪雨が４サイクル（４時間程度）継続すると、図１８の２０階の集合住宅の全ての階の貯留タンクを満杯にすることが出来る。図１９にその状態を示す。５０階の集合住宅の場合は１０サイクル（１０時間程度）継続する集中豪雨にも対応可能であり、全ての階の貯留タンクを満杯にできる。
また１週間以上、最大３週間以内とし、貯留タンクの雨水を様々な用途に利用することもできる。尚、高層住宅の場合は貯留タンクをベランダに埋め込んで、過剰水排出口を大きくしてベランダに「池」を作ることができる（図１５）。
【０１２５】
（７）図２１、図２２、図２３、図２４は、分流式下水道の場合、地下の雨水管における雨水制御装置を開示している。（３）に記載の貯留タンク１９を地中に埋設した場合の発展形であり、各自治体（都市）の住民の協力がなかなか得られない場合の対策である。図２２に示すように、道路の両側に設けられた長さＬ１の側溝３９の一部を貯留タンクとして使用する構成である。この貯留タンクには住宅の地下の雨水管４からの雨水と道路３６に降った雨水とが側溝３９に連通された集水槽３７に流れ込むのでより多くの雨水量を貯留することができる。
【０１２６】
また、地下の大きな雨水管４６Ａの長さＬ２の部分を貯留タンクとして使用することもできる。この場合は地下の大きな雨水管４６Ｂ（本管）又は河川が有ることが前提である。前記貯留タンクとして使用される側溝３９や雨水管４６Ａの両端に集水槽３７、３８が設けられ、集水槽３７，３８に雨水管（雨水管４，４ａ，４ｂ，４６ａ，４８ｂ）が接続される。前記集水槽３７，３８の上流側は前記貯留タンクに連通し、下流側は密閉される。
【０１２７】
長さＬ１の側溝３９の一部を貯留タンクとして使用する場合は下流側の集水槽３７の上部に開口を設けて過剰水排出口２０ｅとし、地下の雨水管４ａの流量絞り４５の下流側に連通させる。雨水管４ａは側溝３９の集水槽３７と大きな雨水管４６Ａ側を接続する。
地下の大きな雨水管４６Ａの長さＬ２の部分を貯留タンクとして使用する場合も、下流側の集水槽３８の上部に開口を設けて過剰水排出口２０ｅとし、地下の雨水管４ｂの流量絞り４５の下流側に連通させる。雨水管４ｂは大きな雨水管４６Ａの集水槽３８と大きな雨水管４６Ｂ側を接続し、過剰水も含んだ全ての雨水を次の下流側の大きな雨水管４６Ｂへ送り出す。流量絞り４５は雨水管４ａ又は／及び雨水管４ｂの上流側に設けると良い。
【０１２８】
図２１は簡易型であり、既設の側溝や大きな雨水管Ａを容易に改造できる。過剰水排出口２０ｅを側溝３９や大きな雨水管４６Ａの下流側の集水槽３７，３８の上部（密閉部）を切り欠いて設ける。前記過剰水排出口２０ｅを地下の雨水管４ａ，４ｂの流量絞り４５の下流側に連通させる代わりに、側溝３９又は雨水管４６Ａに縦続する下流側の側溝又は雨水管へ、上部（密閉部）を切り欠いて設けた前記過剰水排出口２０ｅを通じて過剰水を送り出す。これらの場合も、短時間にまとまって降る強い雨を何回も繰り返す集中豪雨の際に、一回の豪雨が収まった後、次の豪雨が来るまでの間に１５分から６０分程度で前記貯留タンクが実質的に空になるように、前記全量排出口からの全量排出を行う。流量絞りの開口が全量排出口となる。側溝３９又は雨水管４６Ａに縦続する下流側の側溝又は雨水管へ、上部（密閉部）を切り欠いて設けた前記過剰水排出口２０ｅを通じて過剰水を送り出す構造のため、前記過剰水排出口２０ｅを、大きめに設定する。その分、貯留タンクの容量が少なくなる。また貯留タンクの側溝３９又は雨水管４６Ａの一部を複数個縦続接続した後に、１つだけ流量絞りの無い貯留タンクを設けて、蓄積した過剰水を排出する必要がある。
【０１２９】
この実施例では、前記貯留タンクに連通された集水槽３７，３８から該貯留タンクへ雨水が流入し、上流側に逆流する状態で貯留される。但しこれに限らず、前記集水槽の下流側を前記貯留タンクに連通させ、上流側を密閉することもできる。（詳細な説明は省略するが、大きな相違点は図２４の場合、貯留タンクと雨水管４ａ、又は貯留タンクと雨水管４ｂが前記過剰水排出口２０eを通じて接続されることである。  図２３は簡易型。
尚、側溝は上からゴミ等が入らないように蓋や金網で覆う必要があります。
地下の雨水管における雨水制御装置の場合、住宅の雨水管や貯留タンクの大きさに比例する形で設計すれば、類似する雨水制御が可能と思います。
【０１３０】
（８）図３２は、側溝の貯留タンクに道路下の貯留タンクを付加する案である。特公開平１０−１９８１の図１、図２を採用した場合の本件特許の実施態様を示す。
集中豪雨の降雨強度が更に強くなって、１００〜１５０ｍｍ／ｈとなった場合、一回の降雨量が側溝の貯留タンクでも受け入れ不可能になります。そんな事態に備えて、側溝の貯留タンクに道路下の貯留タンクを付加する案である。これは、特公開平１０−１９８１の図１、図２に道路下の貯留タンク（中空ブロック）を埋設する案が開示されている。
その一部を引用する。
【解決手段】
【０１３１】
道路、公園、駐車場等の地中に多数の中空ブロック１を並べて埋設し、各中空ブロック１相互を連通管２で接続すると共に、任意の中空ブロックを雨水集合部と接続し、更に任意の中空ブロックにポンプ４を接続し、中空ブロック１内に貯留した雨水をポンプ４で取水し、消火用水、灌水、中水道の水源として使用する、とあります。
これを本件特許に採用して、側溝の貯留タンクで受け入れ不可能な雨水を取り入れて一時保水する。
地中に多数の貯水用中空ブロックを並べて埋設し、この中空ブロックを連通管で相互に接続して大型の貯留タンクとし、地面に設けた集水槽と任意の中空ブロックを接続して地面に降雨した雨水を集め該大型の貯留タンクに一時保水し、かつ任意の中空ブロックから雨水を排出する地下の雨水管に流量絞りを備え、前記大型の貯留タンクをゆっくりと長い時間をかけて自然排水する全量排出口を有する雨水制御装置を構成する。この場合、流量絞りの開口が全量排出口となる。
道路下の貯留タンク（中空ブロック）は、側溝の貯留タンクの数倍〜十数倍の大きな貯留タンクであるから、集中豪雨等が完全に過ぎ去った後にゆっくりと１週間〜３週間の長い時間をかけて全量排出する。中空ブロックは、例えば道路の幅相当の長さの地下の雨水管であっても良い。むしろ円筒形の雨水管の方が道路の強度を保障できると思う。
また、側溝の貯留タンクが無くても良いとも思われる。従来の側溝から直接、道路下の大型の貯留タンクに雨水の一部を受け入れて、一時保水しておき、集中豪雨等が過ぎ去った後にゆっくりと１週間〜３週間の長い時間をかけて全量排出するように、大型の貯留タンクの容量と流量絞りの開口の大きさを設定する。
また大型の貯留タンクの雨水を単に自然排水して廃棄することがもったいないので、１週間〜３週間の間に、道路等に散水して地表面の放熱を行えば、集中豪雨等の原因となったヒートアイランド現象を解消する一助となるであろう。
更に段落番号０１２４欄に記載があるように、高層住宅の場合も全量排出時間の設定を１週間以上とすることで、２０階の集合住宅の全ての階の貯留タンクを満杯にすることが出来る。この場合も、高層住宅のビルの壁に散水して放熱することができる。
【産業上の利用可能性】
【０１３２】
調査によると、大雨対策に必要な地下の貯留管６６（図１０参照）を都市の一部に建設するだけでも、数十億円から百億円を超える費用がかかる。例えば、次の通りである。
【０１３３】
調査結果Ａ：直径４．２５ｍ、長さ１．９ｋｍ、２４，０００ｍ3の貯留管の埋設コスト：６９億円
【０１３４】
調査結果Ｂ：直径５．５０ｍ、長さ６．５ｋｍ、８６，０００ｍ3の貯留管の埋設コスト：１９９億円
【０１３５】
これに対し、本発明の雨水制御装置を採用すれば、試算では、十分の一程度で同じ効果を奏すると見込まれる。
【０１３６】
住宅敷地がある個人住宅で、一世帯に４個の雨水制御装置を適用し８００リットル（ドラム缶で４個分）の過剰の雨水を保水できると仮定して、単価約５０００円の雨水制御装置を３万世帯〜１０万世帯で採用すれば、５０００円×４個×３〜１０万世帯、すなわち、６〜２０億円で大きな貯留管と同じ効果を達成できる。
【０１３７】
実際に対策しなければならないのは、短時間（例えば１０分）に急激に降る集中豪雨である。ここで、集中豪雨とは、短時間にまとまって降る強い雨を何回も繰り返すことをいう。又は、集中豪雨とは、局地的で短時間（例えば１０分）の強い雨、つまり限られた地域に対して短時間の多量の雨が何回も継続して降ることをいう（図３１参照）。集中豪雨時には、下水道の排水機能が限界を超える場合がある。本発明の雨水制御装置は、このような短時間に急激に降る集中豪雨の際に、雨樋の過剰の雨水を過剰水排出口から排出でき、及び／又は貯留タンクに貯留できる。
【０１３８】
ちなみに、気象庁の平成２１年の報告によれば、次の通りである。 
【０１３９】
＜防災気象情報の活用の手引き＞
引用：局地的大雨と集中豪雨の雨の降り方の特徴
短時間にまとまって降る強い雨は、局地的大雨でも集中豪雨でも発生します。局地的大雨ではそれが一過性であり、集中豪雨はそれを繰り返すという違いがあります。結果的に集中豪雨は、局地的大雨に比べ、大雨の継続時間が長く総雨量は多くなります。集中豪雨（２００８年７月２８日金沢市医王山）の例では、１０分間あたり１０ｍｍ以上の雨（そのまま 1 時間降り続くと６０ｍｍ以上となる非常に激しい雨）が、強弱を繰り返しながら ３〜４時間降り続き、総雨量は １４２ｍｍとなりました。局地的大雨(２００８年７月２８日三田市)の例では、１０分間あたり１０ｍｍ前後の雨が、１時間にまとまって降り、総雨量は ６３ｍｍになりました。
【０１４０】
これを参考に計算すると、自宅が６０坪なら、６０×３．３平方メートル＝１９８平方メートル＝１９８００００平方センチメートルの面積に、１０分間で１ｃｍ（１０ｍｍ）×１９８００００平方センチメートル＝１９８００００立方センチメートルの雨が降ることになる。１リットルは１０００立方センチメートルなので、６０坪に１０分で１９８０リットル（約２０００リットル）の降雨量となる。
【０１４１】
約２０００リットルの雨が自宅６０坪に降るとすると、敷地の半分が家屋の屋根とすれば、半分の１０００リットル、すなわち、５本のドラム缶相当の雨水が屋根に降り注ぐこととなる。この一回の豪雨の雨水の４０％（２本のドラム缶相当）を縦樋の外に排出して、敷地に散布又は／及び貯留タンクに保水すれば、下水道に流れる雨水を大きく減らすことができる。
【０１４２】
住宅敷地がある個人住宅で、一世帯に４個の雨水制御装置を適用し、８００リットル（ドラム缶（２００リットル）で４個分）の過剰の雨水を保水できると仮定して計算したが、実際にはその半分で済むと見込まれる。１０分間あたり１０ｍｍ前後の雨がさらに１０分継続してもほぼ耐えられる。
【０１４３】
現実には、住宅の敷地は既にある程度、浸透水で満たされているので、敷地に流すよりも、貯留タンクに保水することが好ましい。簡易的手段としては、例えば古いドラム缶を縦樋の近くに設置して、ドラム缶に貯留し、雨が止んでから敷地に散布し捨てるか、ドラム缶の下部の周囲の壁に所定の大きさの放出穴８８（図１０参照）を開け、溜めた雨水を１５分から６０分程度で放出すれば、次に来る豪雨に再び対応することができる。これは、従来の地下の貯留管の機能と類似した機能である。放出穴８８から放出された雨水は、敷地の地下に浸透するか、道路の側溝に流れ込み、下水道や近くの河川に流れ出る。
【０１４４】
戸建て住宅一軒で４個もの貯留タンク（例えばドラム缶）を外に出して置くのは美観が損なわれるという場合は、図２〜図６に示したタイプの貯留タンク１９を採用すればよい。
【０１４５】
図２〜図６に示したタイプの貯留タンク１９（連結ボックス１７）として、例えば直径３０ｃｍの円筒を使用する場合、その円筒の断面積は約３．１４×１５×１５＝７０６ｃｍ２であるから、ドラム缶一缶分の２００リットルの容量とするには、約２８０ｃｍの高さが必要となる。
【０１４６】
住宅の四隅の縦樋のそれぞれに前記サイズの連結ボックス１９を取り付けても、それほど美観を損なうことは無いと推察される。連結ボックスが太過ぎてやはり美観が気になる方は、直径２０ｃｍの円筒にすれば、８８リットルの容量を貯留できる。十分とは言えないが、大雨対策にはなると考えられる。
【０１４７】
高層住宅の各階のベランダに円筒の貯留タンク１９を設置する場合には、１世帯で一つの貯留タンクとして、２０階の高層住宅で各階に２０世帯があるとすると、１世帯が２００リットルを貯留すれば、４００世帯で８００００リットルとなり、４００本のドラム缶の容量に相当する。
【０１４８】
２４，０００ｍ3の貯留管の埋設コストが６９億円というデータと比較すると、１世帯がドラム缶で４個分の過剰の雨水を保水できると仮定して、３万世帯が協力して採用する必要がある。１２万個のドラム缶相当の量である。２４，０００ｍ3の貯留管と同じ機能を上記の高層住宅が担うとすると、３００棟の協力が必要となる。都市では、敷地がある個人住宅の数は限られており、高層住宅の協力は必須と思われる。住み良い街作りのために、地域住民を含め、自治体も一緒になって取り組むことが望まれる。
【符号の説明】
【０１４９】
１    住宅
２    汚水桝
２ａ  雨水桝
４    雨水管 ・・・｛地上管７(軒樋９＋縦樋１０)＋埋設管８｝
６    汚水源（トイレ等）
２０  過剰水排出口
２１  蓋
１７  連結ボックス
１８  内向きフランジ
１９  貯留タンク
２４  流量絞り
２６  調整レバー（操作部材）
４０  開口部
４３  ２４ｂ  流量絞り面
４４  雨水通過孔
５０  戻し管
５５  下水道
６６  貯留管
９９  戻し穴
【図１】
2017008714.tif 000003
【図２】
2017008714.tif 000004
【図３】
2017008714.tif 000005
【図４】
2017008714.tif 000006
【図５】
2017008714.tif 000007
【図６】
2017008714.tif 000008
【図７】
2017008714.tif 000009
【図８】
2017008714.tif 000010
【図９】
2017008714.tif 000011
【図１０】
2017008714.tif 000012
【図１１】
2017008714.tif 000013
【図１２】
2017008714.tif 000014
【図１３】
2017008714.tif 000015
【図１４】
2017008714.tif 000016
【図１５】
2017008714.tif 000017
【図１６】
2017008714.tif 000018
【図１７】
2017008714.tif 000019
【図１８】
2017008714.tif 000020
【図１９】
2017008714.tif 000021
【図２０】
2017008714.tif 000022
【図２１】
2017008714.tif 000023
【図２２】
2017008714.tif 000024
【図２３】
2017008714.tif 000025
【図２４】
2017008714.tif 000026
【図２５】
2017008714.tif 000027
【図２６】
2017008714.tif 000028
【図２７】
2017008714.tif 000029
【図２８】
2017008714.tif 000030
【図２９】
2017008714.tif 000031
【図３０】
2017008714.tif 000032
【図３１】
2017008714.tif 000033
【図３２】
2017008714.tif 000034